(57)【特許請求の範囲】
【請求項１】
熱媒体を加熱するガス熱源機と、
熱媒体を加熱するヒートポンプと、
前記ガス熱源機および／または前記ヒートポンプによって加熱された熱媒体と空気とを熱交換する空気加熱手段と、
浴室内の空気を前記空気加熱手段へ送り、前記空気加熱手段によって加熱された空気を浴室内へ戻す空気循環手段と、
浴室内の空気を浴室外の空気と換気する換気手段と、
浴室内の空気の湿度を検知する湿度検知手段と、
制御手段とを備えており、
前記制御手段は、前記空気加熱手段と前記空気循環手段で浴室内の空気を加熱しながら、前記換気手段で浴室外の空気と換気する乾燥運転を実行するように構成されており、
前記制御手段は、前記乾燥運転において、前記湿度検知手段によって検知された湿度が所定の基準湿度以上であるか、前記湿度検知手段によって検知された湿度が下降しているかのいずれか一方と判断したときに、前記ガス熱源機を作動させて熱媒体を加熱する第１の運転モードから、前記ヒートポンプのみによって熱媒体を加熱する第２の運転モードに切り換えるように前記ガス熱源機と前記ヒートポンプを制御するように構成されている、浴室乾燥システム。
【請求項２】
熱媒体を加熱するガス熱源機と、
熱媒体を加熱するヒートポンプと、
前記ガス熱源機および／または前記ヒートポンプによって加熱された熱媒体と空気とを熱交換する空気加熱手段と、
浴室内の空気を前記空気加熱手段へ送り、前記空気加熱手段によって加熱された空気を浴室内へ戻す空気循環手段と、
浴室内の空気を浴室外の空気と換気する換気手段と、
浴室内の空気の湿度を検知する湿度検知手段と、
制御手段とを備えており、
前記制御手段は、前記空気加熱手段と前記空気循環手段で浴室内の空気を加熱しながら、前記換気手段で浴室外の空気と換気する乾燥運転を実行するように構成されており、
前記制御手段は、前記乾燥運転において、前記湿度検知手段によって検知された湿度に基づいて、前記ガス熱源機を作動させて熱媒体を加熱する第１の運転モードから、前記ヒートポンプのみによって熱媒体を加熱する第２の運転モードに切り換えるように前記ガス熱源機と前記ヒートポンプを制御するように構成されており、前記第１の運転モードにおいて熱媒体を第１の温度まで加熱するように前記ガス熱源機を制御し、前記第２の運転モードにおいて熱媒体を前記第１の温度より低い第２の温度まで加熱するように前記ヒートポンプを制御するように構成されている、浴室乾燥システム。
【請求項３】
前記制御手段は、前記第２の運転モードにおいて、前記ヒートポンプによって加熱される熱媒体の温度が前記第２の温度から前記第２の温度より低い第３の温度に低下するように前記ヒートポンプを制御し、その後、前記第３の温度より高い第４の温度に上昇するように前記ヒートポンプを制御するように構成されている、請求項２に記載の浴室乾燥システム。
【請求項４】
熱媒体を加熱するガス熱源機と、
熱媒体を加熱するヒートポンプと、
前記ガス熱源機および／または前記ヒートポンプによって加熱された熱媒体と空気とを熱交換する空気加熱手段と、
浴室内の空気を前記空気加熱手段へ送り、前記空気加熱手段によって加熱された空気を浴室内へ戻す空気循環手段と、
浴室内の空気を浴室外の空気と換気する換気手段と、
浴室内の空気の温度を検知する温度検知手段と、
制御手段とを備えており、
前記制御手段は、前記空気加熱手段と前記空気循環手段で浴室内の空気を加熱しながら、前記換気手段で浴室外の空気と換気する乾燥運転を実行するように構成されており、
前記制御手段は、前記乾燥運転において、前記温度検知手段によって検知された温度が所定の基準温度以上であると判断したときに、前記ガス熱源機を作動させて熱媒体を加熱する第１の運転モードから、前記ヒートポンプのみによって熱媒体を加熱する第２の運転モードに切り換えるように前記ガス熱源機と前記ヒートポンプを制御するように構成されている、浴室乾燥システム。
【発明の詳細な説明】
【技術分野】
【０００１】
本明細書に開示する技術は、浴室乾燥システムに関する。
【背景技術】
【０００２】
特許文献１に開示されている浴室乾燥システムは、熱媒体を加熱するガス熱源機と、ガス熱源機によって加熱された熱媒体と空気とを熱交換する空気加熱手段と、浴室内の空気を空気加熱手段へ送り、空気加熱手段によって加熱された空気を浴室内へ戻す空気循環手段と、浴室内の空気を浴室外の空気と換気する換気手段を備えている。
【先行技術文献】
【特許文献】
【０００３】
【特許文献１】特開平９−２７３７６１号公報
【発明の概要】
【発明が解決しようとする課題】
【０００４】
特許文献１に開示されている浴室乾燥システムでは、加熱能力の高いガス熱源機によって熱媒体を加熱するので熱媒体の温度を容易に高くすることができ、浴室内の空気を高い温度にすることができる。しかしながら、特許文献１の浴室乾燥システムでは、熱媒体をガス熱源機によって連続的に加熱するのでエネルギー効率に限界があった。すなわち、ガス熱源機によって熱媒体を加熱し続けることによってエネルギー消費量が大きくなっていた。
【０００５】
そこで本明細書は、エネルギー効率が良い浴室乾燥システムを提供する。
【課題を解決するための手段】
【０００６】
本明細書に開示する浴室乾燥システムは、熱媒体を加熱するガス熱源機と、熱媒体を加熱するヒートポンプとを備えている。また、浴室乾燥システムは、ガス熱源機および／またはヒートポンプによって加熱された熱媒体と空気とを熱交換する空気加熱手段と、浴室内の空気を空気加熱手段へ送り、空気加熱手段によって加熱された空気を浴室内へ戻す空気循環手段と、浴室内の空気を浴室外の空気と換気する換気手段と、浴室内の空気の湿度を検知する湿度検知手段と、制御手段とを備えている。制御手段は、空気加熱手段と空気循環手段で浴室内の空気を加熱しながら、換気手段で浴室外の空気と換気する乾燥運転を実行するように構成されている。制御手段は、乾燥運転において、湿度検知手段によって検知された湿度に基づいて、ガス熱源機を作動させて熱媒体を加熱する第１の運転モードから、ヒートポンプのみによって熱媒体を加熱する第２の運転モードに切り換えるようにガス熱源機とヒートポンプを制御するように構成されている。なお、乾燥運転における第１の運転モードでは、ガス熱源機のみによって熱媒体を加熱してもよいし、ガス熱源機とヒートポンプによって熱媒体を加熱してもよい。
【０００７】
上記の浴室乾燥システムによれば、熱媒体をガス熱源機によって加熱し続けるのではなく、まず加熱能力の高いガス熱源機を作動させて熱媒体を加熱した後にヒートポンプのみによって熱媒体を加熱する。ヒートポンプは、加熱能力はそれほど高くないが、熱媒体を加熱するときのエネルギー消費量がガス熱源機より小さい。そのため、乾燥運転において、第１の運転モードから第２の運転モードへ切り換えることによってエネルギー効率を良くすることができる。また、上記の浴室乾燥システムでは、湿度検知手段によって検知された浴室内の空気の湿度に基づいて第１の運転モードから第２の運転モードへと切り換える。例えば、乾燥運転の初期の、浴室内の空気の湿度が低い場合は、第１の運転モードで、ガス熱源機によって熱媒体を加熱する。その結果、ガス熱源機によって加熱された高温の熱媒体によって浴室内の空気の温度を急速に高めて、浴室内の衣類等からの水分の蒸発を促進することができる。その後、浴室内の衣類等に含まれている水分が十分に蒸発して、浴室内の空気の湿度が十分に高くなった場合には、第１の運転モードから第２の運転モードへ切り換え、ヒートポンプのみによって熱媒体を加熱する。その結果、エネルギー効率の高いヒートポンプによって加熱された熱媒体によって浴室内の空気に熱量を供給して、乾燥運転を継続することができる。このように、浴室内の空気の湿度に応じて第１の運転モードから第２の運転モードに切り換えることで、必要以上にガス熱源機によって熱媒体を加熱することを抑制でき、エネルギー効率を良くすることができる。
【０００８】
上記の浴室乾燥システムでは、制御手段が、第１の運転モードにおいて熱媒体を第１の温度まで加熱するようにガス熱源機を制御し、第２の運転モードにおいて熱媒体を第１の温度より低い第２の温度まで加熱するようにヒートポンプを制御するように構成されていてもよい。
【０００９】
この構成によれば、第２の運転モードにおいてはヒートポンプによって第２の温度に加熱するので、加熱温度が低いほど加熱効率が向上するヒートポンプの特性を生かして、第１の温度より低い温度に加熱すればよく、エネルギー効率をさらに良くすることができる。
【００１０】
また、上記の浴室乾燥システムでは、制御手段が、第２の運転モードにおいて、ヒートポンプによって加熱される熱媒体の温度が第２の温度から第２の温度より低い第３の温度に低下するようにヒートポンプを制御し、その後、第３の温度より高い第４の温度に上昇するようにヒートポンプを制御するように構成されていてもよい。
【００１１】
この構成によれば、乾燥が進むにしたがって空気加熱手段から浴室内の空気へ供給する熱量を低減させる場合であっても、その後に熱媒体の温度を上げることにより、空気加熱手段から浴室内の空気へ供給する熱量を増大させて、乾燥の仕上げを良好に行うことができる。
【００１２】
また、本明細書に開示する浴室乾燥システムは、熱媒体を加熱するガス熱源機と、熱媒体を加熱するヒートポンプとを備えている。また、浴室乾燥システムは、ガス熱源機および／またはヒートポンプによって加熱された熱媒体と空気とを熱交換する空気加熱手段と、浴室内の空気を空気加熱手段へ送り、空気加熱手段によって加熱された空気を浴室内へ戻す空気循環手段と、浴室内の空気を浴室外の空気と換気する換気手段と、浴室内の空気の温度を検知する温度検知手段と、制御手段とを備えている。制御手段は、空気加熱手段と空気循環手段で浴室内の空気を加熱しながら、換気手段で浴室外の空気と換気する乾燥運転を実行するように構成されている。制御手段は、乾燥運転において、温度検知手段によって検知された温度に基づいて、ガス熱源機を作動させて熱媒体を加熱する第１の運転モードから、ヒートポンプのみによって熱媒体を加熱する第２の運転モードに切り換えるようにガス熱源機とヒートポンプを制御するように構成されている。なお、乾燥運転における第１の運転モードでは、ガス熱源機のみによって熱媒体を加熱してもよいし、ガス熱源機とヒートポンプによって熱媒体を加熱してもよい。
【００１３】
上記の浴室乾燥システムによれば、例えば、乾燥運転の初期の、浴室内の空気の温度が低い場合は、第１の運転モードで、ガス熱源機によって熱媒体を加熱する。その結果、ガス熱源機によって加熱された高温の熱媒体によって浴室内の空気の温度を急速に高めて、浴室内の衣類等からの水分の蒸発を促進することができる。その後、浴室内の衣類等に含まれている水分が十分に蒸発して、浴室内の空気の温度が十分に高くなった場合には、第１の運転モードから第２の運転モードへ切り換え、ヒートポンプのみによって熱媒体を加熱する。その結果、エネルギー効率の高いヒートポンプによって加熱された熱媒体によって浴室内の空気に熱量を供給して、乾燥運転を継続することができる。
【図面の簡単な説明】
【００１４】
【図１】実施例に係る浴室乾燥システムの構成を模式的に示す図である。
【図２】実施例に係る乾燥機の構成を模式的に示す図である。
【図３】第１実施例に係る乾燥運転において制御装置が実行する処理を示すフローチャートである。
【図４】乾燥時間と熱媒体温度と絶対湿度の関係の一例を示す図である。
【図５】第２実施例に係る乾燥運転において制御装置が実行する処理を示すフローチャートである。
【発明を実施するための形態】
【００１５】
（第１実施例）
図１に示すように、浴室乾燥システム２は、ヒートポンプ５０と、水循環系統７と、制御装置１００とを備えている。
【００１６】
ヒートポンプ５０は、冷媒（例えばＲ４１０ＡといったＨＦＣ冷媒や、ＣＯ２、イソブタン、プロパン等の自然冷媒など）を循環させるための冷媒循環路５２と、気液熱交換器５４（蒸発器）と、ファン５６と、圧縮機５１と、流体熱交換器５３（凝縮器）と、膨張弁５５を備えている。
【００１７】
気液熱交換器５４は、ファン５６によって送風された外気と冷媒循環路５２内の冷媒との間で熱交換させる。気液熱交換器５４には、膨張弁５５を通過後の低圧低温の液体状態にある冷媒が供給される。気液熱交換器５４は、冷媒と外気とを熱交換させることによって、冷媒を加熱する。冷媒は、加熱されることにより気化し、低圧の気体状態となる。
【００１８】
圧縮機５１には、気液熱交換器５４を通過後の冷媒が供給される。即ち、圧縮機５１には、低圧の気体状態の冷媒が供給される。圧縮機５１によって冷媒が圧縮されることにより、冷媒は高温高圧の気体状態となる。圧縮機５１は、圧縮後の高温高圧の気体状態の冷媒を、流体熱交換器５３に送り出す。
【００１９】
流体熱交換器５３には、圧縮機５１から送り出された高温高圧の気体状態の冷媒が供給される。流体熱交換器５３は、冷媒循環路５２内の冷媒と、後述の第２加熱路７６内の水（熱媒体の一例）との間で熱交換を行う。冷媒は、流体熱交換器５３での熱交換の結果、熱を奪われて凝縮する。これにより、冷媒は、比較的低温で高圧の液体状態となる。
【００２０】
膨張弁５５には、流体熱交換器５３を通過後の比較的低温で高圧の液体状態の冷媒が供給される。冷媒は、膨張弁５５を通過することによって減圧され、低温低圧の液体状態となる。膨張弁５５を通過した冷媒は、気液熱交換器５４に送られる。
【００２１】
ヒートポンプ５０において、圧縮機５１を作動させると、冷媒循環路５２内の冷媒は、圧縮機５１、流体熱交換器５３、膨張弁５５、気液熱交換器５４の順に循環する。これによって、流体熱交換器５３において第２加熱路７６を流れる水が加熱される。
【００２２】
水循環系統７は、シスターン７０と、ガス熱源機６０と、乾燥機３０とを備えている。また、水循環系統７は、循環往路７２と、第１加熱路７３と、高温暖房路７７と、乾燥機供給路７５と、第２加熱路７６と、循環復路７９とを備えている。水循環系統７は、シスターン７０内の水を循環させる。
【００２３】
シスターン７０は、上部が開放されている容器であり、内部に水を貯留している。シスターン７０には、循環往路７２の上流端が接続されている。循環往路７２には、循環ポンプ７４が介装されている。循環ポンプ７４を駆動すると、シスターン７０内の水が循環往路７２に流れ込む。
【００２４】
循環往路７２の下流端は、第１加熱路７３と、乾燥機供給路７５に分岐している。第１加熱路７３には、ガス熱源機６０が介装されている。ガス熱源機６０は、ガスを燃焼した熱によって第１加熱路７３内の水を加熱する。ガス熱源機６０は、ヒートポンプ５０よりも、水を加熱する能力が高い。すなわち、ガス熱源機６０は、ヒートポンプ５０よりも、単位時間当りに水に供給される熱量が大きい。
【００２５】
第１加熱路７３のガス熱源機６０より下流側には、サーミスタ９１が介装されている。サーミスタ９１は、ガス熱源機６０を通過した後の第１加熱路７３内の水の温度を検知する。第１加熱路７３の下流端は、シスターン７０に接続されている。第１加熱路７３を流れた水がシスターン７０に戻る。また、ガス熱源機６０より下流側の第１加熱路７３から高温暖房路７７が分岐している。高温暖房路７７には、例えばファンコンベクター等の高温暖房装置７８が介装されている。高温暖房路７７の下流端は、シスターン７０に接続されている。
【００２６】
乾燥機供給路７５の下流端は、乾燥機３０に接続されている。乾燥機供給路７５を流れた水が乾燥機３０に供給される。乾燥機３０は、乾燥機供給路７５から供給された水の熱を利用して浴室４０内の空気を乾燥させる。利用された水は乾燥機３０から排出されて第２加熱路７６に流れ込む。乾燥機３０の構成については後に詳しく説明する。
【００２７】
第２加熱路７６の上流端は、乾燥機３０に接続されている。第２加熱路７６は、ヒートポンプ５０の流体熱交換器５３を通過している。第２加熱路７６を流れる水が流体熱交換器５３によって加熱される。第２加熱路７６の流体熱交換器５３より下流側には、サーミスタ９２が介装されている。サーミスタ９２は、流体熱交換器５３を通過した後の第２加熱路７６内の水の温度を検知する。
【００２８】
第２加熱路７６の下流端は、循環復路７９に接続されている。循環復路７９の下流端は、シスターン７０に接続されている。循環復路７９を流れた水がシスターン７０に戻る。
【００２９】
次に、乾燥機３０について説明する。図２に示すように、乾燥機３０は、空気加熱器３３と、空気循環装置３４と、換気装置３５と、湿度センサー３１と、浴室サーミスタ３２と、を備えている。乾燥機３０は、浴室４０に設置されている。乾燥機３０は、例えば浴室４０の天井に取り付けられている。
【００３０】
浴室４０内の空気中には、水分が存在している。例えば、浴室４０内に洗濯物（水分を含んでいる衣類）が存在している場合、洗濯物に含まれている水分が蒸発して浴室４０内の空気中に水蒸気として存在している。
【００３１】
空気加熱器３３には、上述の乾燥機供給路７５から水が供給されている。また、空気加熱器３３には、空気循環装置３４によって浴室４０内の空気が送られている。空気加熱器３３は、空気循環装置３４によって空気加熱器３３に送られた浴室４０内の空気を加熱する。空気加熱器３３は、乾燥機供給路７５によって空気加熱器３３に送られた水の熱によって空気を加熱する。空気加熱器３３は、水と空気の熱交換によって空気を加熱する。
【００３２】
また、空気循環装置３４は、空気加熱器３３によって加熱された空気を浴室４０内に戻す。空気循環装置３４は、加熱された空気を送風によって浴室４０内に導入する。本実施例の空気循環装置３４は、例えばラインフローファンである。空気循環装置３４は、浴室４０内の空気を循環させる。空気は、浴室４０内と空気加熱器３３の間で循環し、循環する過程で空気加熱器３３によって加熱される。
【００３３】
換気装置３５は、浴室４０内の空気を浴室４０外の空気と換気する。換気装置３５は、浴室４０内の空気を浴室４０外に排気し、浴室４０外の空気を浴室４０内に吸気する。換気装置３５は、湿度が比較的高い空気を浴室４０外に排出し、湿度が比較的低い空気を浴室４０内に吸入する。本実施例の換気装置３５は、例えばシロッコファンである。
【００３４】
湿度センサー３１は、浴室４０内の空気の湿度を検知する。湿度センサー３１は、継続的に湿度を検知している。本実施例の湿度は、絶対湿度である。浴室サーミスタ３２は、浴室４０内の空気の温度を検知する。浴室サーミスタ３２は、継続的に温度を検知している。
【００３５】
制御装置１００は、ヒートポンプ５０と水循環系統７の各構成機器の動作を制御するように構成されている。
【００３６】
次に、本実施例の浴室乾燥システム２の動作について説明する。
【００３７】
（乾燥運転）
乾燥運転は、浴室４０内の空気を乾燥させる運転である。すなわち、乾燥運転は、浴室４０内の空気に含まれている水分を除去する運転である。図３は、乾燥運転において制御装置１００が実行する処理を示すフローチャートである。
【００３８】
ユーザーによって乾燥運転の実行が指示されると、図３のＳ１１では、制御装置１００は、循環ポンプ７４を所定の回転数で作動させる。循環ポンプ７４が作動すると、シスターン７０内の水が、循環往路７２を流れ、第１加熱路７３と乾燥機供給路７５に分岐する。第１加熱路７３に分岐した水は、ガス熱源機６０を通過してシスターン７０に戻る。一方、乾燥機供給路７５に分岐した水は、乾燥機３０、第２加熱路７６、ヒートポンプ５０の流体熱交換器５３、循環復路７９をこの順で通過してシスターン７０に戻る。このように、循環ポンプ７４の作動によってシスターン７０内の水が循環する。
【００３９】
続くＳ１２では、制御装置１００は、ヒートポンプ５０を作動させる。ヒートポンプ５０が作動することにより、流体熱交換器５３を通過する冷媒循環路５２内の冷媒が、高温高圧の気体状態になる。また、第２加熱路７６を流れる水が流体熱交換器５３を通過する際に、冷媒循環路５２内の冷媒の熱によって加熱される。流体熱交換器５３によって加熱された水は、循環復路７９を通過してシスターン７０に戻る。
【００４０】
続くＳ１３では、制御装置１００は、ガス熱源機６０を作動させる。これにより、第１加熱路７３を通過する水が、ガス熱源機６０によって加熱される。ガス熱源機６０は、サーミスタ９１によって検知される水の温度が第１の温度（例えば７２℃）になるように水を加熱する（図４参照）。ガス熱源機６０によって加熱された水は、第１加熱路７３を流れてシスターン７０に戻る。
【００４１】
Ｓ１２とＳ１３によって、水循環系統７を循環している水がヒートポンプ５０とガス熱源機６０によって加熱される（第１の運転モード）。ヒートポンプ５０とガス熱源機６０によって加熱された水は、水循環系統７を循環する過程で乾燥機３０の空気加熱器３３を通過する。
【００４２】
続くＳ１４では、制御装置１００は、乾燥機３０を作動させる。乾燥機３０の作動によって、空気循環装置３４が、浴室４０内の空気を空気加熱器３３に送る。空気加熱器３３は、空気循環装置３４によって空気加熱器３３に送られた空気を加熱する。空気加熱器３３は、空気加熱器３３を通過する水の熱によって空気を加熱する。空気加熱器３３によって加熱された空気は、空気循環装置３４によって浴室４０内に戻される。これによって、浴室４０内の空気が循環しながら加熱される。
【００４３】
浴室４０内の空気が加熱されると、図４に示すように、時間の経過と共に、浴室４０内の温度が上昇してゆく。その結果、浴室４０内の空気の飽和水蒸気圧が上昇してゆく。それと共に、例えば浴室４０内に存在している洗濯物の水分が蒸発し、浴室４０内の空気中に存在する水蒸気量が上昇してゆく。これによって、時間の経過と共に浴室４０内の空気の湿度が上昇してゆく。
【００４４】
また、乾燥機３０の作動によって、乾燥機３０の換気装置３５が、浴室４０内の空気を浴室４０外に排気し、浴室４０外の空気を浴室４０内に吸気する。これによって、浴室４０内の湿度が高い空気が浴室４０外に排気される。また、浴室４０外の湿度が低い空気が浴室４０内に吸気される。換気装置３５によって浴室４０内の空気と浴室４０外の空気を換気することと、衣類の水分量が下がることによって、ある程度時間が経過すると、浴室４０内の空気の湿度が下降してゆく（図４参照）。
【００４５】
続くＳ１５では、制御装置１００は、湿度センサー３１によって検知された浴室４０内の湿度が所定の基準湿度（例えば、２５ｇ／ｍ３）以上であるか否かを判断する。浴室４０内の湿度が基準湿度（例えば、２５ｇ／ｍ３）以上である場合、制御装置１００はＳ１５でＹｅｓと判断して、続くＳ１６をスキップしてＳ１７に進む。一方、浴室４０内の湿度が基準湿度以上でない（基準湿度未満である）場合、制御装置１００はＳ１５でＮｏと判断して、Ｓ１６に進む。
【００４６】
Ｓ１６では、制御装置１００は、湿度センサー３１によって検知された浴室４０内の湿度が下降しているか否かを判断する。浴室４０内の湿度が下降している場合、制御装置１００はＳ１６でＹｅｓと判断して、Ｓ１７に進む。一方、浴室４０内の湿度が下降していない（浴室４０内の湿度が上昇している）場合、制御装置１００はＳ１６でＮｏと判断して、Ｓ１５に戻る。
【００４７】
Ｓ１７では、制御装置１００は、ガス熱源機６０を停止する。Ｓ１５、Ｓ１６、Ｓ１７によって、制御装置１００は、浴室４０内の湿度が所定の基準湿度以上まで上昇したか、または、浴室内４０内の湿度が所定の基準湿度まで上昇することなく下降し始めた場合に、ガス熱源機６０を停止する。ガス熱源機６０の停止によって、循環している水がガス熱源機６０によって加熱されなくなり、ヒートポンプ５０のみによって加熱される（第２の運転モード）。また、Ｓ１７では、制御装置１００は、ガス熱源機６０を停止したときの浴室４０内の空気の湿度を認識する。制御装置１００は、このときの湿度を第１の湿度Ｈ１として認識する。
【００４８】
続くＳ１８では、制御装置１００は、ヒートポンプ５０を制御する。制御装置１００の制御によって、ヒートポンプ５０は、サーミスタ９２によって検知される水の温度が第２の温度（例えば６０℃）となるように水を加熱する（図４参照）。第２の温度（６０℃）は、第１の温度（７２℃）より低い温度である。
【００４９】
続くＳ１９では、制御装置１００は、湿度センサー３１によって検知された浴室４０内の湿度が、第１の湿度（Ｈ１）から所定の湿度（例えば６．５ｇ／ｍ３）だけ下降した湿度（Ｈ１−６．５ｇ／ｍ３）以下であるか否かを判断する。浴室４０内の湿度が、第１の湿度（Ｈ１）から所定の湿度（６．５ｇ／ｍ３）だけ下降した湿度（Ｈ１−６．５ｇ／ｍ３）以下である場合、制御装置１００はＳ１９でＹｅｓと判断して、Ｓ２０に進む。一方、浴室４０内の湿度が、第１の湿度から所定の湿度だけ下降した湿度以下でない（Ｈ１−６．５ｇ／ｍ３より高い）場合、制御装置１００はＳ１９でＮｏと判断して、待機する。
【００５０】
制御装置１００は、Ｓ１９でＹｅｓと判断した場合、続くＳ２０ではそのときの浴室４０内の空気の湿度を認識する。制御装置１００は、その湿度を第２の湿度Ｈ２として認識する。
【００５１】
続くＳ２１では、制御装置１００は、ヒートポンプ５０を制御する。制御装置１００の制御によって、ヒートポンプ５０は、サーミスタ９２によって検知される水の温度が第３の温度（例えば４５℃）となるように水を加熱する（図４参照）。第３の温度（４５℃）は、第２の温度（６０℃）より低い温度である。
【００５２】
続くＳ２２では、制御装置１００は、湿度センサー３１によって検知された浴室４０内の湿度が、第２の湿度（Ｈ２）から所定の湿度（例えば６．５ｇ／ｍ３）だけ下降した湿度（Ｈ２−６．５ｇ／ｍ３）以下であるか否かを判断する。浴室４０内の湿度が、第２の湿度（Ｈ２）から所定の湿度（６．５ｇ／ｍ３）だけ下降した湿度（Ｈ２−６．５ｇ／ｍ３）以下である場合、制御装置１００はＳ２２でＹｅｓと判断して、Ｓ２３に進む。一方、浴室４０内の湿度が、第２の湿度から所定の湿度だけ下降した湿度以下でない（Ｈ２−６．５ｇ／ｍ３より高い）場合、制御装置１００はＳ２２でＮｏと判断して、待機する。
【００５３】
続くＳ２３では、制御装置１００は、ヒートポンプ５０を制御する。制御装置１００の制御によって、ヒートポンプ５０は、サーミスタ９２によって検知される水の温度が第４の温度（例えば６０℃）となるように水を加熱する（図４参照）。第４の温度（６０℃）は、第３の温度（４５℃）より高い温度である。このように、制御装置１００は、水の温度が一旦低下した後に再び上昇するようにヒートポンプ５０を制御する。
【００５４】
以上のように、制御装置１００は、湿度センサー３１によって検知された浴室４０内の湿度に基づいてガス熱源機６０とヒートポンプ５０を制御する。その後、制御装置１００は、所定時間が経過すると、乾燥運転を終了する。
【００５５】
以上、本実施例の浴室乾燥システム２の構成及び運転内容について説明した。以上の説明から明らかなように、本実施例の浴室乾燥システム２は、図１に示すように、水（熱媒体の一例）を加熱するガス熱源機６０と、水を加熱するヒートポンプ５０とを備えている。また、浴室乾燥システム２は、ガス熱源機６０とヒートポンプ５０によって加熱された水と空気とを熱交換する空気加熱器３３と、浴室４０内の空気を空気加熱器３３へ送り、空気加熱器３３によって加熱された空気を浴室４０内へ戻す空気循環装置３４とを備えている。また、浴室乾燥システム２は、浴室４０内の空気を浴室４０外の空気と換気する換気装置３５と、浴室４０内の空気の湿度を検知する湿度センサー３１と、制御装置１００とを備えている。この浴室乾燥システム２では、制御装置１００が、空気加熱器３３と空気循環装置３４で浴室４０内の空気を加熱しながら、換気装置３５で浴室４０外の空気と換気する乾燥運転を実行するように構成されている。制御装置１００は、乾燥運転において、湿度センサー３１によって検知された湿度に基づいて、ガス熱源機６０を作動させて水を加熱する第１の運転モードから、ヒートポンプ５０のみによって水を加熱する第２の運転モードに切り換えるようにガス熱源機６０とヒートポンプ５０を制御するように構成されている。
【００５６】
このような構成によれば、ガス熱源機６０によって水を加熱し続けるのではなく、ガス熱源機６０を停止させて、その後にヒートポンプ５０のみによって水を加熱する。ヒートポンプ５０はガス熱源機６０よりもエネルギー消費量が小さいので、ガス熱源機６０からヒートポンプ５０に切り換えることによって、エネルギー効率を良くすることができる。また、湿度センサー３１によって検知された湿度に基づいて運転モードを切り換えることによって、エネルギー効率を更に良くすることができる。本実施例では、乾燥運転の初期の、浴室４０内の空気の湿度が低い場合は、第１の運転モードでガス熱源機６０によって水を加熱する。その結果、ガス熱源機６０によって加熱された高温の水によって浴室４０内の空気の温度を急速に高めて、浴室４０内の衣類等からの水分の蒸発を促進することができる。その後、浴室４０内の衣類等に含まれている水分が十分に蒸発して、浴室４０内の空気の湿度が十分に高くなった場合や、浴室４０内の空気の湿度が下降し始めた場合は、第１の運転モードから第２の運転モードに切り換え、ヒートポンプ５０のみによって水を加熱する。その結果、エネルギー効率の高いヒートポンプ５０によって加熱された水によって浴室４０内の空気に熱量を供給して、乾燥運転を継続することができる。このように、浴室４０内の空気の湿度に応じてガス熱源機６０からヒートポンプ５０に切り換えることができるので、必要以上にガス熱源機６０によって水を加熱することを抑制できる。よって、エネルギー消費量を抑制することができ、エネルギー効率を良くすることができる。
【００５７】
また、上記の実施例では、制御装置１００が、第１の運転モードにおいて水を第１の温度（例えば７２℃）まで加熱するようにガス熱源機６０を制御する。また、制御装置１００が、第２の運転モードにおいて水を第１の温度（７２℃）より低い第２の温度（例えば６０℃）まで加熱するようにヒートポンプ５０を制御する。このような構成によれば、ガス熱源機６０とヒートポンプ５０を制御することによって、水の温度を段階的に下げることができる。したがって、乾燥が進むにしたがって、浴室４０内の空気に供給する熱量を低減させて、省エネルギーを実現することができる。
【００５８】
また、上記の実施例では、制御装置１００が、第２の運転モードにおいて、ヒートポンプ５０によって加熱される水の温度が第２の温度（例えば６０℃）から第２の温度より低い第３の温度（例えば４５℃）に低下するようにヒートポンプを制御し、その後、第３の温度より高い第４の温度（例えば６０℃）に上昇するようにヒートポンプを制御する。このような構成によれば、乾燥が進むにしたがって、浴室４０内の空気に供給する熱量を低減させる場合であっても、その後に水の温度を再び上げることにより、浴室４０内の空気へ供給する熱量を増大させることができる。これによって、例えば浴室４０内の洗濯物がほとんど乾いた後に、再び高温の水の熱によって浴室４０内の空気を加熱することで、洗濯物の乾燥の仕上げを良好に行うことができる。
【００５９】
以上、一実施例について説明したが、具体的な態様は上記実施例に限定されるものではない。なお、以下の説明において、上述の説明における構成と同様の構成については、同一の符号を付して説明を省略する。例えば、上記の実施例では、第１の運転モードにおいて、ガス熱源機８２とヒートポンプ５０によって水を加熱していたが、この構成に限定されるものではない。他の実施例では、第１の運転モードにおいて、ガス熱源機８２のみによって水を加熱してもよい。そして、第２の運転モードにおいて、ヒートポンプ５０のみによって水を加熱する。
【００６０】
（第２実施例）
また、上記の実施例では、制御装置１００が、湿度センサー３１によって検知された湿度に基づいて第１の運転モードから第２の運転モードに切り換えるように構成されていたが、この構成に限定されるものではない。他の実施例では、図５に示すように、Ｓ１４で制御装置１００が乾燥機３０を作動させた後、続くＳ３５では、制御装置１００が、浴室サーミスタ３２によって検知された浴室４０内の温度が基準温度（例えば、３６℃）以上であるか否かを判断する。浴室４０内の温度が基準温度（例えば、３６℃）以上である場合、制御装置１００はＳ３５でＹｅｓと判断して、Ｓ１７に進む。一方、浴室４０内の温度が基準温度以上でない（基準温度未満である）場合、制御装置１００はＳ３５でＮｏと判断して、待機する。
【００６１】
Ｓ１７では、制御装置１００は、ガス熱源機６０を停止する。Ｓ３５、Ｓ１７によって、制御装置１００は、浴室４０内の温度が所定の基準温度以上まで上昇した場合に、ガス熱源機６０を停止する。ガス熱源機６０の停止によって、循環している水がガス熱源機６０によって加熱されなくなり、ヒートポンプ５０のみによって加熱される（第２の運転モード）。
【００６２】
以上の説明から明らかなように、本実施例の浴室乾燥システム２では、制御装置１００が、乾燥運転において、浴室サーミスタ３２によって検知された温度に基づいて、ガス熱源機６０を作動させて水を加熱する第１の運転モードから、ヒートポンプ５０のみによって水を加熱する第２の運転モードに切り換えるようにガス熱源機６０とヒートポンプ５０を制御するように構成されている。
【００６３】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００６４】
２        ：浴室乾燥システム
７        ：水循環系統
３０      ：乾燥機
３１      ：湿度センサー
３２      ：浴室サーミスタ
３３      ：空気加熱器
３４      ：空気循環装置
３５      ：換気装置
４０      ：浴室
５０      ：ヒートポンプ
５１      ：圧縮機
５２      ：冷媒循環路
５３      ：流体熱交換器
５４      ：気液熱交換器
５５      ：膨張弁
５６      ：ファン
６０      ：ガス熱源機
７０      ：シスターン
７２      ：循環往路
７３      ：第１加熱路
７４      ：循環ポンプ
７５      ：乾燥機供給路
７６      ：第２加熱路
７７      ：高温暖房路
７８      ：高温暖房装置
７９      ：循環復路
９１      ：サーミスタ
９２      ：サーミスタ
１００    ：制御装置
【図１】
0006533700.tif 000002
【図２】
0006533700.tif 000003
【図３】
0006533700.tif 000004
【図４】
0006533700.tif 000005
【図５】
0006533700.tif 000006